(57)【要約】【課題】カーテンの巻取り量を調整することができ、耐久性と操作性に優れるカーテン巻取装置を提供する。【解決手段】カーテンを巻取るための巻取り軸１６と連係手段２４、３２によって同期回転する螺杆２８を鉛直下方向に配設し、調整軸３０、３１を螺杆２８と平行に配設し、調整軸３０、３１の下端が調整ボックス２６の下面から延出し、その下端を回転させてることで上下に摺動するリミットスイッチ３８、３９を設け、巻取り軸１６と同期して螺杆２８が回転することにより、螺杆２８に螺合されたドグ３４が摺動して調整軸３０、３１のリミットスイッチ３８、３９の作動片３８ａ、３９ａと当接することで、巻取り軸１６を駆動する駆動手段１２を停止させてカーテンの巻取り量を調整することを特徴とする。【選択図】    図２
2006020541.tif 000002
【特許請求の範囲】
【請求項１】
カーテンを巻取るための巻取り軸と、前記巻取り軸を駆動するモータと、これらを収納する筐体とを有し、カーテンの巻取り量を調整することで、カーテンの開口度を変更することのできるカーテン巻取装置において、
前記筐体内部に前記巻取り軸と連係手段によって同期回転する螺杆を鉛直下方向に配設し、
前記筐体内部に前記螺杆と平行に第１の調整軸を配設し、前記第１の調整軸の下端は前記筐体下面から延出し、前記第１の調整軸は雄ネジ部を有し、この雄ネジ部に第１の摺動体が螺合され、この第１の摺動体に第１のリミットスイッチが付設され、
前記モータによって回転する前記巻取り軸と同期して前記螺杆が回転することにより、前記螺杆に螺合されたドグが上下に摺動して前記第１のリミットスイッチの作動片と当接することで前記モータを停止させ、また、前記第１の調整軸の下端を回転させることにより前記第１のリミットスイッチが上下に摺動することを特徴とするカーテン巻取装置。
【請求項２】
前記筐体内部に前記螺杆と平行に第２の調整軸を配設し、前記第２の調整軸の下端は前記筐体下面から延出し、前記第２の調整軸は雄ネジ部を有し、この雄ネジ部に第２の摺動体が螺合されると共に、この第２の摺動体は前記ドグを中心にして前記第１の摺動体の反対側へ配され、この第２の摺動体に第２のリミットスイッチが付設され、
前記モータによって回転する前記巻取り軸と同期して前記螺杆が回転することにより、前記ドグが上下に摺動して前記第１のリミットスイッチまたは前記第２のリミットスイッチの作動片と当接することで前記モータを停止させ、また、前記第２の調整軸の下端を回転させることにより前記第２のリミットスイッチが上下に摺動することを特徴とする請求項１記載のカーテン巻取装置。
【請求項３】
前記連係手段は、傘歯車、ウォームギアのいずれかであることを特徴とする請求項１または２記載のカーテン巻取装置。
【請求項４】
前記カーテンはビニールハウスを覆うビニールカーテンであることを特徴とする請求項１〜３いずれかに記載のカーテン巻取装置。
【発明の詳細な説明】
【技術分野】
【０００１】
本発明は、カーテンの開閉を行なうためのカーテン巻取装置に関し、詳しくは、カーテンの巻取り量を調整することで、カーテンの開口度を変更することのできるカーテン巻取装置に関する。
【背景技術】
【０００２】
例えば農業用のビニールハウス等には、ハウス内の温度調節をするための開閉可能なカーテンが設けられており、その開閉には、カーテン巻取装置による巻取りあるいは巻戻しすることで行なわれている。このようなカーテン巻取装置では、季節やビニールハウス内の栽培作物の種類等に応じたビニールハウス内の温度調節を行なうために、カーテンの巻取り量を調整可能に設け、カーテンの開口度を変更しうるようにすることが望ましい。
【０００３】
そこで、従来、例えば特許文献１には、カーテンの巻取り量を変更することができるカーテン巻取装置が開示されている。該巻取装置は、カーテンを巻取るための巻取り軸とこれに連係手段を介して同期回転可能に設けた調整軸とを有し、該調整軸の一端は巻取装置の筐体側面から外部へ延び、その一端部にはつまみが固嵌され、他端部には径方向へ作動子が突設されており、つまみを回転させて調整軸を回転させることで、作動子がリミットスイッチの作動片に当接するまでの回転角を調整して、カーテンの巻取り量を調整するものがある。
【０００４】
しかしながら、上記のカーテン巻取装置がビニールハウス等のために屋外で用いられる場合、調整軸が該巻取装置の筐体側面から外部へ出っ張っているため、調整軸を伝って雨水が筐体内部へ入り込み該巻取装置の耐久性が著しく低下することに加え、出っ張った調整軸は外力に対し弱いため壊れやすい問題があった。また、このようなカーテン巻取装置は頭上に設置されることが多く、カーテンの巻取り量を調整するつまみが該装置の筐体側面に配されていると、操作しづらいという問題があった。
【特許文献１】特開平６−２２５６４８号公報
【発明の開示】
【発明が解決しようとする課題】
【０００５】
本発明は以上の問題に鑑みてなされたものであり、カーテンの巻取り量を調整することができ、耐久性と操作性に優れるカーテン巻取装置を提供することを目的とする。
【課題を解決するための手段】
【０００６】
本発明のカーテン巻取装置は、カーテンを巻取るための巻取り軸と、前記巻取り軸を駆動するモータと、これらを収納する筐体とを有し、カーテンの巻取り量を調整することで、カーテンの開口度を変更することのできるカーテン巻取装置において、前記筐体内部に前記巻取り軸と連係手段によって同期回転する螺杆を鉛直下方向に配設し、前記筐体内部に前記螺杆と平行に第１の調整軸を配設し、前記第１の調整軸の下端は前記筐体下面から延出し、前記第１の調整軸は雄ネジ部を有し、この雄ネジ部に第１の摺動体が螺合され、この第１の摺動体に第１のリミットスイッチが付設され、前記モータによって回転する前記巻取り軸と同期して前記螺杆が回転することにより、前記螺杆に螺合されたドグが上下に摺動して前記第１のリミットスイッチの作動片と当接することで前記モータを停止させ、また、前記第１の調整軸の下端を回転させることにより前記第１のリミットスイッチが上下に摺動することを特徴とする。
【０００７】
また、上記本発明において、前記筐体内部に前記螺杆と平行に第２の調整軸を配設し、前記第２の調整軸の下端は前記筐体下面から延出し、前記第２の調整軸は雄ネジ部を有し、この雄ネジ部に第２の摺動体が螺合されると共に、前記第２の摺動体は前記ドグを中心にして前記第１の摺動体の反対側へ配され、この第２の摺動体に第２のリミットスイッチが付設され、前記モータによって回転する前記巻取り軸と同期して前記螺杆が回転することにより、前記ドグが上下に摺動して前記第１のリミットスイッチまたは前記第２のリミットスイッチの作動片と当接することで前記モータを停止させ、また、前記第２の調整軸の下端を回転させることにより前記第２のリミットスイッチが上下に摺動するように設けてもよい。
【発明の効果】
【０００８】
本発明によれば、カーテンの巻取り量を調整するための第１の調整軸を鉛直下方向に配設することにより、第１の調整軸の下端をカーテン巻取装置の筐体の底面から突出させることができるため、雨水が第１の調整軸を伝って筐体内部へ入り込むことがなく、しかも第１の調整軸の出っ張りを抑えることができるため耐久性に優れ、また、カーテン巻取装置を頭上に配置する場合であっても操作しやすい。また第２の調整軸についても鉛直下方向に配設することにより、同様の作用効果を得ることができる。
【発明を実施するための最良の形態】
【０００９】
以下、本発明の一実施形態について図面に基づいて詳細に説明する。
【００１０】
図１は本実施形態に係るカーテン巻取装置１０の斜視図、図２は該巻取装置１０の断面図である。
【００１１】
図１及び図２に示すように、カーテン巻取装置１０は、カーテンを巻取る巻取り軸１６へモータ１２の駆動力を伝えるためのユニットである駆動部２と、モータ１２を制御してカーテンの巻取り量あるいは巻戻し量を調整するためのユニットである調整部４から構成される。
【００１２】
駆動部２は、駆動手段であるモータ１２と、その駆動軸１４と同期回転する巻取り軸１６を収納する筐体であるギアボックス１８とからなる。
【００１３】
詳細には、ギアボックス１８の上部に設けられたモータ１２の駆動軸１４は、垂下して下端がギアボックス１８に軸支され、ウォーム２０が固嵌されている。
【００１４】
巻取り軸１６は、水平方向に配され、その略中間部にウォーム２０と噛合するウォームホイル２２が固嵌され、ギアボックス１８の対向する側面に貫設されており、その一端は、直接あるいは他のギアやフレキシブルバーなどの部材を介してビニールハウスのカーテンを巻取るための部位としてギアボックス１８から延出し、他端は、傘歯車２４が固嵌されて、ギアボックス１８の側面に付設された調整ボックス２６に収納されている。
【００１５】
調整部４は、鉛直下方向に配された螺杆２８と調整軸３０、３１とを軸支して収納する筐体である調整ボックス２６からなる。
【００１６】
詳細には、調整軸３０、３１は、その下端が、調整ボックス２６から延出して、つまみ４０、４１が固嵌されるとともに、調整ボックス２６に収納されている部位に雄ネジ部を設け、摺動体３６、３７に穿設した雌ネジ部と螺合され、つまみ４０、４１を回転させることにより、摺動体３６、３７に付設されたリミットスイッチ３８、３９が上下に摺動するようになっている。リミットスイッチ３９はドグ３４を中心にしてリミットスイッチ３８の反対側、すなわちリミットスイッチ３８はドグ３４の下方に、リミットスイッチ３９はドグ３４の上方に配される。
【００１７】
螺杆２８は、巻取り軸１６との連係手段、すなわち傘歯車２４と噛合する傘歯車３２が固嵌されることで巻取り軸１６と同期回転可能に設けられており、この回転により、ネジ孔を穿設して螺杆２８に螺合されたナット状のドグ３４が、上下に摺動して、リミットスイッチ３８、３９の作動片３８ａ、３９ａに当接してリミットスイッチ３８、３９を作動させるようになっている。
【００１８】
この一方のリミットスイッチ３８は、モータ１２の正転による巻取り軸１６の巻取り方向への回転を停止させる巻終わり検知スイッチであり、ドグ３４が作動片３８ａに当接してリミットスイッチ３８が作動することで、モータ１２の正転を停止させる。他方のリミットスイッチ３９は、モータ１２の逆転による巻取り軸１６の巻戻し方向への回転を停止させる巻戻し検知スイッチであり、ドグ３４が作動片３９ａに当接してリミットスイッチ３９が作動することで、モータ１２の逆転を停止させる。
【００１９】
上記のようなカーテン巻取装置１０を用いてカーテンを巻取るには、まず不図示の作動スイッチを作動させてモータ１２の駆動軸１４を正転させることにより、巻取り軸１６が巻取り方向へ回転させられカーテンが巻取られるとともに、傘歯車２４、３２の連係手段を介して螺杆３０が回転させられて、ドグ３４が螺杆３０に沿って下方向へ摺動する。
【００２０】
そして、ドグ３４が巻終わり検知スイッチであるリミットスイッチ３８の作動片３８ａに当接すると、モータ１２の正転が停止させられて、巻取り軸１６によるカーテンの巻取りが終了する。
【００２１】
カーテンの巻取り量の調整は、ドグ３４と作動子３８ａとが当接する位置を調整することにより行なう。すなわち、つまみ４０を正回転させてリミットスイッチ３８を下方向へ摺動させることで、ドグ３４が作動子３８ａと当接までのストロークが長くなり巻取り量を増加させることができる。また、巻取り量を減少させる場合は、つまみ４０を逆回転させてリミットスイッチ３８を上方向へ摺動させる。
【００２２】
一方、カーテン巻取装置１０を用いてカーテンを巻戻す場合は、モータ１２の駆動軸１４を逆転させることによりカーテンが巻戻されるとともに、ドグ３４が上方向へ摺動して巻戻し検知スイッチであるリミットスイッチ３９の作動片３９ａに当接すると、モータ１２の逆転が停止させられて、巻取り軸１６によるカーテンの巻戻しが終了する。
【００２３】
また、カーテンを巻戻し量の調整は、つまみ４１を正回転させてリミットスイッチ３９を上方向へ摺動させることで巻戻し量を増加させ、つまみ４１を逆回転させてリミットスイッチ３９を下方向へ摺動させることで巻戻し量を減少させることができる。
【００２４】
上記のように、本実施形態のカーテン巻取装置１０では、巻取り量あるいは巻戻し量を調整するための調整軸３０、３１を鉛直下方向に設けることにより、屋外で用いる場合であっても、雨水が調整軸３０、３１を伝って調整ボックス２６内部へ入り込むことがなく、かつ調整軸３０、３１を収納する調整ボックス２６がギアボックス１８から出っ張るのを抑えることができるため、カーテン巻取装置１０の耐久性を著しく向上することができるとともに、頭上に設置される場合であっても、カーテンの巻取り量あるいは巻戻し量の調整が容易となる。
【００２５】
なお、本実施形態では、巻取り量および巻戻し量のいずれも調整可能に設けたが、本発明はこれに限定されず、巻取り量または巻戻し量のいずれか一方のみを調整可能としてもよい。すなわち、巻終わり検知スイッチ２８または巻戻し検知スイッチ３９のいずれか一方のみを調整軸３０あるいは調整軸３１の回転によって摺動可能に設け、他方の検知スイッチを調整ボックス２６など適宜の固定体に取り付けてもよい。
【００２６】
また、本実施形態では、巻取り軸１６と螺杆２８との連係手段として各々に固嵌された傘歯車２４、３２を用いたが、これに代えてウォームとウォームホイルとからなるウォームギアにより巻取り軸１６と螺杆２８との連係してもよい。
【産業上の利用可能性】
【００２７】
本発明のカーテン巻取装置は、ビニールハウスのカーテン巻取装置に好適である。
【図面の簡単な説明】
【００２８】
【図１】本実施形態に係るカーテン巻取装置の斜視図である。
【図２】本実施形態に係るカーテン巻取装置の縦断面図である。
【符号の説明】
【００２９】
２……駆動部
４……調整部
１０……カーテン巻取装置
１２……モータ
１４……駆動軸
１６……巻取り軸
１８……ギアボックス
２０……ウォーム
２２……ウォームホイル
２４、３２……傘歯車（連係手段）
２６……調整ボックス
２８……螺杆
３０、３１……調整軸
３４……ドグ
３６、３７……摺動体
３８……リミットスイッチ（巻終わり検知スイッチ）
３９……リミットスイッチ（巻戻し検知スイッチ）
３８ａ、３９ａ……作動片
４０、４１……つまみ
【図１】
2006020541.tif 000003
【図２】
2006020541.tif 000004